(57)【要約】【課題】一種のスイッチ装置の提供【解決手段】一種のスイッチ装置であり、開回路動作を実施する従来のスイッチの不安定性を改善するための確保メカニズムを提供する。スイッチ装置は本体および本体と組み合わせた操作ボタンを含む。本体は、アクチュエーターと配線モジュールとで構成されたベースとを組み合わせるためのチャンバーを限界にする。また、ベースにはスロットチャンバーが設けられ、固定セグメントとフリーセグメントとを有する弾性部材をそなえ、弾性部材はアクチュエーターの動きに対応して固定セグメントを支点にしてフリーセグメントが配線モジュールの接点アームを押して接触通路状態を形成するか接点アームから離脱して開回路状態を形成する。【選択図】図３
2019110123.tif 000002
【特許請求の範囲】
【請求項１】
一種のスイッチ装置であり、本体と、この本体と組み合わせる操作ボタンとを含み、
前記本体は、軸方向基準軸を定義し、前記本体は、ベースを取り付けるための基部とチャンバーとを限界にし、前記ベースはアクチュエーターおよび配線モジュールを配置し、前記アクチュエーターは前記軸方向基準軸上で往復運動でき、前記配線モジュールは複数接点アームを有し、第１接点アームと第２接点アームとに分けられ、前記第１接点アームは第１接点を有し、前記第２接点アームは第２接点を有し、前記ベースには、壁と少なくとも1つのスロットチャンバーが設けられ、弾性部材をそなえ、前記弾性部材は、基部と、前記基部の両端部からそれぞれ延伸する固定セグメントとフリーセグメントとをそなえ、前記弾性部材の前記固定セグメントは前記ベースに固定され、前記弾性部材を前記アクチュエーターの動きに応答させ、前記固定セグメントを支点とし、前記フリーセグメントが前記第２接点アームの前記第２接点を押して前記第１接点アームの前記第１接点と接触して経路状態を形成させ、前記フリーセグメントを前記第２接点アームから離して開回路状態にすることを特徴とするスイッチ装置。
【請求項２】
前記本体は、基部を有する円筒体構造に形成され、前記ベースはシリンダー構造であり、壁および隔壁が設けられ、前記ベースは前記隔壁に隣接しており、前記壁と協働してスロットチャンバーと連結する補助スロットチャンバーを限界にし、前記スロットチャンバーと前記補助スロットチャンバーが共同で前記アクチュエーターを取り付けることを特徴とする、請求項１に記載のスイッチ装置。
【請求項３】
前記隔壁は、前記ベースの中央に位置し、前記ベースの２つの側面が２つの対称的なスロットチャンバー構造を形成することを特徴とする、請求項２に記載のスイッチ装置。
【請求項４】
前記ベースは、スロットチャンバーに隣接する位置に、第１補助壁と第２補助壁とをそなえ、前記第１補助壁と前記第２補助壁はそれぞれ第１組み合わせ部と第２組み合わせ部を限界にし、前記第１組み合わせ部は前記第１接点アームを組み立て、前記第２組み合わせ部は第２接点アームを組み立て、前記第１接点アームの前記第１接点は、前記第１補助壁の切欠きを通って前記スロットチャンバー内に延伸し、前記第２接点アームは、前記第２接点を配置するフリー部と、前記フリー部を接続する湾曲部を有し、前記フリー部および前記第２接点は、前記第２補助壁を越えてスロットチャンバー内に延び、前記第２接点を前記第１接点の位置まで延伸させることを特徴とする、請求項１に記載のスイッチ装置。
【請求項５】
前記ベースは、スロットチャンバーに隣接する位置に、第１補助壁と第２補助壁とをそなえ、前記第１補助壁と前記第２補助壁はそれぞれ第１組み合わせ部と第２組み合わせ部を限界にし、前記第１組み合わせ部は前記第１接点アームを組み立て、前記第２組み合わせ部は第２接点アームを組み立て、前記第１接点アームの前記第１接点は、前記第１補助壁の切欠きを通って前記スロットチャンバー内に延伸し、前記第２接点アームは、前記第２接点を配置するフリー部と、前記フリー部を接続する湾曲部を有し、前記フリー部および前記第２接点は、前記第２補助壁を越えてスロットチャンバー内に延び、前記第２接点を前記第１接点の位置まで延伸させることを特徴とする、請求項２または請求項３に記載のスイッチ装置。
【請求項６】
前記第２接点アームは、２片構造に形成され、第１部分と第２部分とに設定され、前記第１部分は、前記第２部分よりも硬度の高い材料からなり、前記第２部分は、前記第１部分よりも導電性の高い材料からなり、前記第１部分はヘッドエンドを有し、前記第２部分のカバーエッジと組み合わせて、一体構造を形成することを特徴とする、請求項１または請求項４に記載のスイッチ装置。
【請求項７】
前記第２接点アームは、２片構造に形成され、第１部分と第２部分とに設定され、前記第１部分は、前記第２部分よりも硬度の高い材料からなり、前記第２部分は、前記第１部分よりも導電性の高い材料からなり、前記第１部分はヘッドエンドを有し、前記第２部分のカバーエッジと組み合わせて、一体構造を形成することを特徴とする、請求項２または請求項３または請求項５に記載のスイッチ装置。
【請求項８】
前記アクチュエーターは、頭部と前記頭部を連結する腹部とを含み、前記頭部は、前記本体の軸収納室内に留められ、前記軸収納室内で往復運動が可能であり、前記腹部は、板体構造であり、前記弾性部材を配置するために、腹部から横方向に突出したポストおよびキャリア部をそなえ、前記腹部には、前記キャリア部と前記ポストとを接続する凸部が設けられ、前記弾性部材の前記基部は、円弧構造および複数のループ構造のいずれかを形成し、前記アクチュエーターの前記ポストに巻かれるように配置され、また、前記アクチュエーターには、腹部から突出して下方に延びる凸状アームが設けられていることを特徴とする、請求項１または請求項４または請求項６に記載のスイッチ装置。
【請求項９】
前記アクチュエーターは、頭部と前記頭部を連結する腹部とを含み、前記頭部は、前記本体の軸収納室内に留められ、前記軸収納室内で往復運動が可能であり、前記腹部は、板体構造であり、前記弾性部材を配置するために、腹部から横方向に突出したポストおよびキャリア部をそなえ、前記腹部には、前記キャリア部と前記ポストとを接続する凸部が設けられ、前記弾性部材の前記基部は、円弧構造および複数のループ構造のうちの1つを形成し、前記アクチュエーターの前記ポストに巻かれるように配置され、また、前記アクチュエーターには、腹部から突出して下方に延びる凸状アームが設けられていることを特徴とする、請求項２または請求項３または請求項５または請求項７に記載のスイッチ装置。
【請求項１０】
前記弾性部材は、ねじりバネの構造であり、前記弾性部材の前記基部は、円弧構造および複数のループ構造のいずれかを形成し、前記弾性部材の前記固定セグメントは、第１領域と、前記第１領域に接続された第２領域とを含み、前記固定セグメントの前記第1領域は、上方から下方に向かって斜めに延在し、前記固定セグメントの前記第２領域は、前記第1領域から前記フリーセグメントに向かって垂直的に曲がることによって形成され、前記固定セグメントの前記第２領域は、前記ベースに固定され、また、前記フリーセグメントは、第１領域と、前記第１領域を接続する第２領域と、および前記第２領域を接続する第３領域とを含み、前記フリーセグメントの第１領域は水平方向に延び、前記フリーセグメントの前記第１領域と前記第２領域との間に角度を有し、前記フリーセグメントの前記第２領域が前記第１領域に対して傾斜した形状を形成し、作動力を有するため、前記フリーセグメントの前記第３領域は、前記第２接点アームの前記第２接点を押して前記第１接点と接触することができ、前記フリーセグメントの前記第1領域と前記第２領域との間の角度は、鋭角、直角および鈍角のうちの1つであることを特徴とする、請求項１または請求項４または請求項６または請求項８に記載のスイッチ装置。
【請求項１１】
前記弾性部材は、ねじりバネの構造であり、前記弾性部材の前記基部は、円弧構造および複数のループ構造のいずれかを形成し、前記弾性部材の前記固定セグメントは、第１領域と、前記第１領域に接続された第２領域とを含み、前記固定セグメントの前記第1領域は、上方から下方に向かって斜めに延在し、前記固定セグメントの前記第２領域は、前記第1領域から前記フリーセグメントに向かって垂直的に曲がることによって形成され、前記固定セグメントの前記第２領域は、前記ベースに固定され、また、前記フリーセグメントは、第１領域と、前記第１領域を接続する第２領域と、および前記第２領域を接続する第３領域とを含み、前記フリーセグメントの第１領域は水平方向に延び、前記フリーセグメントの前記第１領域と前記第２領域との間に角度を有し、前記フリーセグメントの前記第２領域が前記第１領域に対して傾斜した形状を形成し、作動力を有するため、前記フリーセグメントの前記第３領域は、前記第２接点アームの前記第２接点を押して前記第１接点と接触することができ、前記フリーセグメントの前記第1領域と前記第２領域との間の角度は、鋭角、直角および鈍角のうちの1つであることを特徴とする、請求項２または請求項３または請求項５または請求項７または請求項９に記載のスイッチ装置。
【請求項１２】
前記弾性部材は、ねじりバネの構造であり、前記弾性部材の前記基部は、円弧構造および複数のループ構造のいずれかを形成し、前記弾性部材の前記固定セグメントは、第１領域と、前記第１領域に接続された第２領域とを含み、前記固定セグメントの前記第1領域は、上方から下方に向かって斜めに延在し、前記固定セグメントの前記第２領域は、前記第1領域から前記フリーセグメントに向かって垂直的に曲がることによって形成され、前記固定セグメントの前記第２領域は、前記ベースに固定され、また、前記フリーセグメントは、第１領域と、前記第１領域を接続する第２領域と、および前記第２領域を接続する第３領域とを含み、前記フリーセグメントの第１領域は水平方向に延び、前記フリーセグメントの前記第１領域と前記第２領域との間に角度を有し、前記フリーセグメントの前記第２領域が前記第１領域に対して傾斜した形状を形成し、作動力を有するため、前記フリーセグメントの前記第３領域は、前記第２接点アームの前記第２接点を押して前記第１接点と接触することができ、前記フリーセグメントの前記第1領域と前記第２領域との間の角度は、鋭角、直角および鈍角のうちの1つであることを特徴とする、請求項８または請求項９に記載のスイッチ装置。
【請求項１３】
前記フリーセグメントの前記第２領域は、前記固定セグメントの方向に垂直的に曲がって延伸することによって、前記第３領域を形成することを特徴とする、請求項１０または請求項１１に記載のスイッチ装置。
【請求項１４】
前記フリーセグメントの前記第２領域は、前記固定セグメントの方向に垂直的に曲がって延伸することによって、前記第３領域を形成することを特徴とする、請求項１２に記載のスイッチ装置。
【発明の詳細な説明】
【技術分野】
【０００１】
本発明は一種のスイッチ装置に関し、特にスイッチ装置は本体と、ベースとの組み合わせを含み、ベースに合わせて設置された弾性装置は、スイッチが経路および／または開回路を形成することを確実にする技術を指す。
【背景技術】
【０００２】
電動機、電子装置、または自動制御装置において、操作者が機器または電源をオンまたはオフ状態で操作を可能にするスイッチ装置を応用することは、周知の技術である。また、従来の技術では、このようなスイッチ装置を緊急スイッチとして使用することが開示されており、従業員の不適切な操作や機器の故障などの場合には、緊急に人員が電源オフまたは開回路動作を行って重大な傷害または損害を防ぐことができる。例えば、台湾特許第９４２２２２８８号「試験装置の緊急スイッチ構造」、台湾特許第９８２０１１６３号「緊急スイッチ装置」などの出願が典型的な実施形態を提供する。
【０００３】
従来の緊急スイッチ装置は、スイッチを押圧および／または回転させる操作ボタンと、操作ボタンおよびバネを収納するハウジングを含む。ハウジングの内部は、接続ベース（またはベース）および接点アームを有する配線モジュールと組み合わされる。作業者が操作ボタンを押して接続シートを押し下げると、ハウジングは接続シートをバネに押し付ける。バネが接続シートを押し出すことによって位置を決めされ、接続シートが配線モジュールを押して開回路状態を形成する。そして、作業者は、操作ボタンと接続シートを強制的に引き上げて、接続シートを初期の結合位置または配線モジュールの経路状態に戻すことができる。例えば、特開２００３−３０３５２７号公報には、可能な実施形態が記載されている。
【０００４】
従来のスイッチ装置の部品数が多くて複雑であることにより、製造コストや組立コストが増加するという問題点を改善するため、従来技術では、配線モジュールの接点アームによるバネ力を応用してスイッチ経路および／または開回路を形成するための技術的手段が開示されている。例えばＣＮ１０２７４１９６１Ｂ［操作スイッチ］の特許出願は、可能な実施形態を提供している。その実施形態では、スイッチハウジングとスライドアクチュエーターとの間にコイルバネを設け、第１板バネと第２板バネとが、配線モジュールによって配置されることにより、作業者が操作ボタンを引き上げたり、押圧したりして、第１板バネ、第２板バネおよび固定接点が弾性接触を形成するか、または別個の開回路状態を形成する。
【先行技術文献】
【特許文献】
【０００５】
【特許文献１】台湾特許第９４２２２２８８号明細書
【特許文献２】台湾特許第９８２０１１６３号明細書
【特許文献３】特開２００３−３０３５２７号公報
【特許文献４】中国特許ＣＮ１０２７４１９６１Ｂ号明細書
【発明の概要】
【発明が解決しようとする課題】
【０００６】
従来技術のスイッチ装置の構造的かつ実用的な作動の課題は、１．いくつかの操作アプリケーションでは、スイッチハウジング、操作ボタンまたは接続シートが長期間の使用または人的要因によって破損または断裂した場合、従来のハウジングと接続シートとの間に配置されている圧縮バネの構造は圧縮点または放出エネルギーの作動する支持点または負荷部分を失い、その結果、圧縮バネが確実に接続シートを押し込むことができず、配線モジュールが開回路状態となり、スイッチ装置の緊急遮断または開回路機能が失われてしまう。
２．従来技術は、第１板バネ、第２板バネ、およびベースを用いて指状構造（および／またはコイルバネの組み合わせ）を設置するには、第１板バネと第２板バネは特別な構造に設計しなければ、第１板バネと第２板バネは弾性力を有しない。例えば、第１板バネの一端が湾曲部と可動接点を構成し、可動接点の裏面に第２板バネが逆接続されている。そして、第２板バネは、Ｕ字形構造をなし、湾曲部と、第１板バネに向かって指状構造に合わせて伸びる可動片とをそなえている。
【０００７】
当業者が知っているように、第１板バネ、第２板バネの構造、曲げプレスは複雑であり、製造コストを低減する上で不利である。
【０００８】
従来のスイッチ装置の構造設計および応用の別の課題は、第１板バネおよび第２板バネの弾性力または動作範囲を増大させることである。第１板バネは、特に、比較的薄い厚さを有する帯状のシート形状に応用され、中空構造を形成する。しかしながら、前記構造形態は、第１板バネの導電率を低下させるが、これはわれわれが期待するものではない。
【０００９】
代表的に言えば、これらの参考文献は、スイッチ装置のハウジングおよびアクチュエーター、配線モジュールまたはその関連アセンブリの使用および構造設計を示している。再設計でスイッチデバイス、配線モジュールおよび関連コンポーネントのアセンブリ構造、および上記のアプリケーションを考慮する場合、従来のものと違うものにすることで、使用パターンが変わり、従来の技術とは違った応用効果が得られる。例えば、構造と操作の容易さの条件を考慮する上で、以下の課題を含める必要がある。
１．従来の構造が破損や断裂による圧縮バネと配線モジュールとの組み合わせの開回路機構の損失を改善するためには、従来の技術応用でハウジングと接続シートとの間に圧縮バネを配置する構造を取り除く必要がある。
２．従来のスイッチ装置に応用された第１板バネと第２板バネとの複雑な構造は除去または解決されるべきである。同時に、弾性効果を達成し、導電性を低下させるために、従来構造を改善できる。これらの課題のいずれも、上記の参考文献に具体的に教示または開示されていない。
【課題を解決するための手段】
【００１０】
したがって、本発明の主な目的は、スイッチ装置の改良された構造を提供し、開回路の作動を実施する従来のスイッチの不安定性を改善するための確保機構を提供することである。本発明のスイッチ装置は本体と、本体と結合する操作ボタンとを含み、本体は、アクチュエーターと配線モジュールとを組み合わせて構成されたベースのためのチャンバーを限界にする。また、ベースにはスロットチャンバーが設けられ、固定セグメントとフリーセグメントとを含む弾性部材が設けられている。弾性部材はアクチュエーターの動きに対応して固定セグメントを支点にしてフリーセグメントが配線モジュールの接点アームを押して経路状態を形成するか、接点アームから離れて開回路状態を形成する。
【００１１】
本発明のスイッチ装置の改良された構造によれば、弾性部材の固定セグメントは、第１領域と、第１領域に湾曲して垂直的に接続された第２領域とをそなえ、第２領域は、ベースに固定された尾部を有する。そして、弾性部材のフリーセグメントは、第１領域と、第１領域を接続する第２領域と、第２領域を湾曲して垂直的に接続する第３領域とを含む。第１領域と第２領域との間の角度は、第２領域が第１領域に対して傾斜した形状を形成し、作動力を有するような角度である。第３領域は、アクチュエーターの動きに応答し、接点アームを押して接触させる経路の状態、または接点アームを離れる状態が開回路状態を形成する。
【発明の効果】
【００１２】
本発明は、従来技術のものとは異なり、使用や操作の形態が従来のものとは異なる。従来の構造が破損、断裂、脱落などにより圧縮バネの支点が失われ、配線モジュールが開回路メカニズムを形成することを制御できないことはできるだけ最小限におさえる。従来技術の第１板バネおよび第２板バネを応用するための複雑な構造を大幅に改善できる。また、従来の構造では、弾性を強めて空洞領域を設定するために導電性能を低下させることを改善できる。
【図面の簡単な説明】
【００１３】
【図１】本発明の立体構造の概略図であり、操作ボタンと本体とアクチュエーターとベースと配線モジュールと弾性部材との構造の組み合わせを示している。本発明の実施形態の構造ブロック図である。
【図２】図１のアクチュエーター、ベース、配線モジュールおよび弾性部材の構成を示す部分構造図である。
【図３】図２の概略分解図である。
【図４】図１の平面構造の概略図であり、弾性部材と配線モジュールとが経路状態を形成する構造的状況を示す。
【図５】本発明の実施形態の平面構造の模式図であり、操作ボタンを押した人がアクチュエーターを下方に運動させて配線モジュールを開回路状態とし、アクチュエーターと配線モジュールと弾性部材との構造的協働を示す。
【発明を実施するための形態】
【００１４】
図１、図２および図３を参照すると、本発明のスイッチ装置の改良された構造は、スイッチ装置の本体１０とベース２０の組み合わせとを含む。本体１０は、軸方向基準軸Ｘを規定する基部１１を有する円筒形構造に形成されている。本体１０には、操作ボタン３０が設けられており、操作ボタン３０を本体１０に対して軸方向基準軸Ｘに沿って自由に運動および／または回転させることができる。本体１０と操作ボタン３０との関連する協働構造は周知の技術であり、詳細な説明は省略する。
【００１５】
本発明の実施形態では、本体１０（および／または基部１１）は、ベース２０およびアクチュエーター４０を組み立てるためのチャンバー１２を限界にする。詳細には、ベース２０は実質的に円筒形であり、アクチュエーター４０および弾性部材６０を組み立てるための壁２１および少なくとも１つのスロットチャンバー２２をそなえている。同図は、ベース２０の中央部に隔壁２３を設け、ベース２０の両側が対称的な状態の２つのスロットチャンバー２２構造を形成している。以下の説明では、ベース２０の片側を選択する傾向があるスロットチャンバー２２を例示的な実施形態とみなす。
【００１６】
図１、図２および図３はまた、壁２１と協働してスロットチャンバー２２と連結する補助スロットチャンバー２４を限界にする隔壁２３に隣接する領域のベース２０を示す。スロットチャンバー２２および補助スロットチャンバー２４は、アクチュエーター４０と結合しており、アクチュエーター４０をスロットチャンバー２２および／または補助スロットチャンバー２４に軸方向基準軸Ｘに運動を自在に構成している。
【００１７】
本実施形態では、ベース２０がスロットチャンバー２２に当接する位置に、第１補助壁２５および第２補助壁２６が設けられている。第１補助壁２５および第２補助壁２６は、それぞれ、配線モジュール５０を組み立てるための壁２１の間に第１組み合わせ部２７および第２組み合わせ部２８を限界にし、配線モジュール５０の組み立てに使用される。
【００１８】
図に示すように、配線モジュール５０は、第１組み合わせ部２７と第２組み合わせ部２８とにそれぞれ取り付けられた第１接点アーム５１と第２接点アーム５２とに分けられた複数の接点アームをそなえている。第１接点アーム５１は、第１補助壁２５の切欠き２５ａを通ってスロットチャンバー２２内に延びる第１接点５１ａ（または固定接点と称する）を有する。第２接点アーム５２は、フリー部５４と、フリー部５４に配置された第２接点５２ａ（または可動接点と称する）とを有する。そして、フリー部５４および第２接点５２ａは、第２補助壁２６をこえてスロットチャンバー２２内に延伸し、第２接点５２ａを第１接点５１ａの位置まで延伸させ、第１接点５１ａおよび第２接点５２ａを図示の上、下位置に配置されている。
【００１９】
可能な実施形態では、第２接点アーム５２は、フリー部５４に接続されている湾曲部５５を有する。湾曲部５５は、フリー部５４の弾性作用および／または運動範囲を増加させるのを補助できる。
【００２０】
好ましい実施形態では、第２接点アーム５２をより良好な導電性および剛性を有するために、第２接点アーム５２は、２つの構造に形成され、第１部分５６および第２部分５７として構成される。第１部分５６は、剛性が高く、または硬度が高い（または、第２部分５７の剛性または硬度よりも高い）材料（例えば、鉄、鋼など）で構成されている。第２部分５７は、より高い導電率（または第１部分５６の導電率よりも大きい）を有する材料（例えば、黄銅、銅など）で作られる。
【００２１】
図はまた、第２部分５７のカバーエッジ５９と組み合わされて単一の構成を形成できる分割ヘッドエンド５８を有する第１部分５６を示している。第２補助壁２６（または第２組み合わせ部２８）には、第１部分５６のヘッドエンド５８と第２部分５７のカバーエッジ５９との組み合わせ構造に対応して、第２接点アーム５２の位置決めを補助するための凹状の結合部２６ａが形成されている。
【００２２】
図１、２および３は、アクチュエーター４０が頭部４１および頭部４１を接続する腹部４２を含むことを示している。頭部４１は、本体１０の軸収納室１３に収納されており、軸収納室１３の中での（上、下）往復運動できる。腹部４２は、実質的に板体の構造であり、補助スロットチャンバー２４内に取り付けられ、補助スロットチャンバー２４内で（上、下）往復運動できる。
【００２３】
好ましい実施形態では、腹部４２には、弾性部材６０を配置するための腹部４２から横方向に突出したキャリア部４３とポスト４４が設けられている。弾性部材６０がアクチュエーター４０に応じて運動する際に発生する摩擦や抵抗を低減するために、腹部４２には、弾性部材６０が運動する際に弾性部材６０が腹部４２に接触、摩擦しないように、キャリア部４３とポスト４４とを連結する凸部４５が設けられている。また、アクチュエーター４０には、腹部４２から突出して下方に延びる凸状アーム４６が設けられている。
【００２４】
図には、弾性部材６０がねじりバネ構造であることを示している。アクチュエーター４０のポスト４４に巻き付けている少なくとも１つの円弧状または複数のループ構造を形成する基部６１が配置されている。基部６１の両端には、固定セグメント６２とフリーセグメント６３とがそれぞれ延設されている。固定セグメント６２は、第１領域６２ａと、第１領域６２ａを接続する第２領域６２ｂとを含む。固定セグメント６２の第１領域６２ａは図に示すように上側からやや斜め下方に延び、固定セグメント６２の第２領域６２ｂは第１領域６２ａからフリーセグメント６３に向かって垂直的に屈曲して形成されている。固定セグメント６２の第２領域６２ｂは、ベース２０（または第２補助壁２６）に固定されている。
【００２５】
そして、フリーセグメント６３は、第１領域６３ａと、第１領域６３ａを連結する第２領域６３ｂと、第２領域６３ｂを連結する第３領域６３ｃとを含む。フリーセグメント第１領域６３ａは、図示の水平方向に延び、アクチュエーター４０のキャリア部４３と接触して支持機能を形成する。フリーセグメント第１領域６３ａと第２領域６３ｂとの間には角度があり、フリーセグメント第２領域６３ｂは、第１領域６３ａに対して傾斜して形成されており、作動力を有するため、フリーセグメント第３領域６３ｃは、アクチュエーター４０に応じて運動され、第２接点アーム５２の第２接点５２ａは、第１接点５１ａと接触する経路状態を形成するか、または第２接点アーム５２を離れて開回路状態のままにする。
【００２６】
実施例において、フリーセグメント第１領域６３ａと第２領域６３ｂとの間の角度は、鋭角、直角または鈍角を形成できる。たとえば、図４に示すように、フリーセグメント第２領域６３ｂは、固定セグメント６２の方向に垂直的に湾曲して延び、第３領域６３ｃを形成し、第３領域６３ｃは第２接点アームのフリー部５４を押すための作動区間を形成する。
【００２７】
図４を参照すると、アクチュエーター４０および弾性部材６０は、配線モジュール５０と組み合わせられ、スイッチ装置は、経路状態の構造的組み合せを形成する。この図は、アクチュエーター４０がこの時点で第１位置にあると仮定して、スイッチ装置が経路状態にあることを示している。アクチュエーター４０のキャリア部４３は、フリーセグメント６３の第１領域６３ａおよび弾性部材６０と固定セグメント６２の第２領域６２ｂを支点として協働し、アクチュエーター４０の運動に応じて弾性部材６０がエネルギーを蓄積する状態を形成する。そして、フリーセグメント第３領域６３ｃは、第２接点アームのフリー部５４の第２接点５２ａを押して第１接点アーム５１の第１接点５１ａに接触する。
【００２８】
図５を参照して、人が緊急時に操作ボタン３０を押すと、アクチュエーター４０は第１位置から図示の下方向に運動される（または第２位置として規定される）。弾性部材６０（またはフリーセグメント第３領域６３ｃ）は、固定セグメント部６２（または第２領域６２ｂ）を支点として、アクチュエーター４０の動きに応答して、先に蓄積されたエネルギーを放出する。フリーセグメント第３領域６３ｃの第２接点アームのフリー部５４の押す機能を解除し、第２接点５２ａは、第１接点アーム５１の第１接点５１ａから離脱して開回路状態を形成する。
【００２９】
図はまた、アクチュエーター４０の凸状アーム４６が、第２接点アームのフリー部５４の第２接点５２ａが第１接点５１ａから離れることを確保し、補助することを示している。
【００３０】
代表的には、スイッチ装置の改良された構造は、簡単な操作の条件下での従来の方法と比較して以下の考察および利点を有する。
１．本体１０、ベース２０、アクチュエーター４０、配線モジュール５０、弾性部材６０、および関連する結合構造が再設計されている。例えば、本体１０は、ベース２０と協働してスロットチャンバー２２と、隔壁２３と、スロットチャンバー２２に連結する補助スロットチャンバー２４が設けられており、アクチュエーター４０と弾性部材６０とを収納している。ベース２０は、第１補助壁２５、第１組み合わせ部２７、第２補助壁２６、第２組み合わせ部２８を構成し、配線モジュール５０を固定して取り付けている。アクチュエーター４０の腹部４２には、キャリア部４３、ポスト４４、および弾性部材６０が設けられている。弾性部材６０は、固定セグメント６２の第１領域６２ａと第２領域６２ｂとを有し、フリーセグメント６３は、第１領域６３ａと、第２領域６３ｂと、第３領域６３ｃとを有している。フリーセグメント第３領域６３ｃは、配線モジュールなどの第２接点アーム５２のフリー部５４を押したり離したりする。従来技術のものとは異なり、使用や操作の形態が従来のものとは異なる。
２．ベース２０のスロットチャンバー２２および補助スロットチャンバー２４には、アクチュエーター４０および弾性部材６０が収納、組み合わされている。ベース２０またはスロットチャンバー２２の内部を作動支持点とする弾性部材６０の構造形態は明らかに、ハウジングと接続シート（またはベース）との間に圧縮スプリングを設置することにより、圧縮スプリングの作動支点とする従来技術の技術形態を除去している。そのため、従来の構造が破損、断裂、脱落などにより圧縮バネの支点が失われ、配線モジュールが開回路メカニズムを形成することを制御できないことはできるだけ最小限におさえる。
３．特に、ベース２０は、弾性部材６０を収納するスロットチャンバー２２を形成し、弾性部材６０が配線モジュール５０を押したり離したりするので、従来技術の第１板バネおよび第２板バネを応用するための複雑な構造を大幅に改善できる。また、従来の構造では、弾性を強めて空洞領域を設定するために導電性能を低下させることを改善できる。
【００３１】
したがって、本発明は、スイッチ装置のための効果的な改良構造を提供し、その立体的な形態は従来のタイプとは異なり、従来の方法が匹敵しない利点を有し、かなりの進歩を示し、特許の要件を満たしている。
【００３２】
要約すると、本発明は実際に所望の機能および目的を達成することができ、当業者が上記の詳細な記述に基づいて実施することが可能であるため、上記の実施例より、同等の構造における変化は、依然として本発明の権利の範囲から逸脱していない。すなわち、本発明に関連する同じ創造的な精神において行われた変更または改造は、本発明の保護の範囲に含まれるべきである。
【符号の説明】
【００３３】
１０    本体
１１    基部
１２    チャンバー
１３    軸収納室
２０    ベース
２１    壁
２２    スロットチャンバー
２３    隔壁
２４    補助スロットチャンバー
２５    第１補助壁
２５ａ  切欠き
２６    第２補助壁
２６ａ  結合部
２７    第１組み合わせ部
２８    第２組み合わせ部
３０    操作ボタン
４０    アクチュエーター
４１    頭部
４２    腹部
４３    キャリア部
４４    ポスト
４５    凸部
４６    凸状アーム
５０    配線モジュール
５１    第１接点アーム
５１ａ  第１接点
５２    第２接点アーム
５２ａ  第２接点
５４    フリー部
５５    湾曲部
５６    第１部分
５７    第２部分
５８    ヘッドエンド
５９    カバーエッジ
６０    弾性部材
６１    基部
６２    固定セグメント
６２ａ、６３ａ  第１領域
６２ｂ、６３ｂ  第２領域
６３    フリーセグメント
６３ｃ  第３領域
Ｘ      軸方向基準軸
【図１】
2019110123.tif 000003
【図２】
2019110123.tif 000004
【図３】
2019110123.tif 000005
【図４】
2019110123.tif 000006
【図５】
2019110123.tif 000007